(57)【特許請求の範囲】
【請求項１】
ケース内に、その上面に赤外線検出素子が設けられた回路基板を少なくとも３本のリードピンによってステムに対して所定の間隔をあけた状態で保持するように構成した赤外線検出器において、前記リードピンは突起部を有しないストレートな形状に形成され、このストレート形状のリードピンの上端部を前記回路基板の下面に直接に当接させるとともに、前記回路基板の下面側に実装される回路部品に接続して形成された導体パターンと前記リードピンとを該リードピンの上端部近傍の外周面部を取り囲み、かつ、前記導電パターン側ほど漸次径が大きくなるように施したはんだによって電気的および機械的に結合し、前記回路基板の上面側の赤外線検出素子に形成の電極と回路基板の下面側の前記導電パターンとを、前記リードピンの上端部の結合箇所に対して偏位した箇所の回路基板部分を貫通するスルーホールの側壁にも導いて設けられた導電部を介して電気的に接続したことを特徴とする赤外線検出器における回路基板の保持構造。
【発明の詳細な説明】
【０００１】
【発明の属する技術分野】
この発明は、焦電型赤外線検出器やサーモパイル型赤外線検出器、フォトダイオードやフォトトランジスタなど、ケース内に回路基板を少なくとも３本のリードピンによってステムに対して所定の間隔をあけた状態で保持するように構成した赤外線検出器における回路基板の保持構造に関する。
【０００２】
【従来の技術】
例えば焦電型赤外線検出器においては、ケースの外部からケースに形成した赤外透過窓を通過した赤外線をケース内の焦電素子の受光部に確実に集光させるため、焦電素子をケース内の所望の位置に設ける必要があり、そのためには、焦電素子を上面に保持するための回路基板をステム上面から所定の位置に保持する必要がある。
【０００３】
このため、従来においては、例えば特開昭６４−４７９２２号公報や実開平４−１０７８６３号公報などに示されるように、回路基板をリードピンによって、ステムベースの上面から所定の高さ位置になるように保持している。
【０００４】
図５は、前記実開平４−１０７８６３号公報に開示されている焦電型赤外線検出器を示すもので、この図５において、５１は下方が開放した金属製のケースで、その上面には赤外線透過窓５２が形成されている。５３はケース５１の下部開口部を閉止するステムである。そして、ケース５１の内部には、ステム５３を貫通した複数のリードピン５４によって回路基板５５がステム５３のベース５６上面に対して所定の間隔をもって設けられている。
【０００５】
すなわち、リードピン５４にはその上端部近傍に突起部５７が形成されており、回路基板５５に設けられた貫通孔５８をリードピン５４の上端部が挿通し、突起部５７が回路基板５５の下面側に当接して回路基板５５を所定の状態に保持している。５９はリードピン５４の回路基板５５上面側に突出した上端部６０と回路基板５５の導体パターン（図示してない）とを接合するための導電性接合材である。
【０００６】
そして、前記回路基板５５の上面には適宜の支持材６１を介して焦電素子６２が設けられており、また、回路基板５５の下面側にはＦＥＴ６３や抵抗体６４が設けられている。
【０００７】
上記従来の焦電型赤外線検出器においては、リードピン５４の上端側に突起部５７を形成し、この突起部５７によって回路基板５５を、ステムベース５６との間に所定の間隔を有するように保持しているので、回路基板５５の下面側にＦＥＴ６３や抵抗体６４など回路構成部品を実装することができる。
【０００８】
【発明が解決しようとする課題】
しかしながら、上記焦電型赤外線検出器においては、次のような問題があった。すなわち、上記リードピン５４は、その上端側に特殊な形状の突起部５７を有する段付き構造であるが、このようなリードピン５４は、芯線を加工して突起部５７を設けるため、加工工数が増え、加工コストの増大を招来する。そして、突起部５７が回路基板５５の下面側に位置するため、回路基板５５の下面側の部品実装のための有効面積が減少し、ＦＥＴ６３や抵抗体６４などの回路構成部品の配置や、回路基板５５の上下両面に形成される導体パターンの構成が制約されるといった問題がある。そして、この制約は、リードピン５４の数の増加に伴って一層厳しいものとなる。さらに、リードピン５４の曲がりに起因してこれを回路基板５５の貫通孔５８に挿入するときに挿入ミスが増加したり、リードピン５４を折損するといった不都合もあり、生産性が低下するといった不都合があった。
【０００９】
このような問題は、上記焦電型赤外線検出器のみならず、サーモパイル型赤外線検出器においても生じているところであり、さらに、フォトダイオードやフォトトランジスタなどにおいても生じている。すなわち、ケース内に回路基板を少なくとも３本のリードピンによってステムに対して所定の間隔をあけた状態で保持するように構成した赤外線検出器において生じているところである。
【００１０】
この発明は、上述の事柄に留意してなされたもので、その目的は、回路基板の上下両面における回路構成部品の実装の自由度が高く、しかも、組立が容易に行える赤外線検出器における回路基板の保持構造を提供することである。
【００１１】
【課題を解決するための手段】
上記目的を達成するため、この発明では、ケース内に、その上面に赤外線検出素子が設けられた回路基板を少なくとも３本のリードピンによってステムに対して所定の間隔をあけた状態で保持するように構成した赤外線検出器において、前記リードピンは突起部を有しないストレートな形状に形成され、このストレート形状のリードピンの上端部を前記回路基板の下面に直接に当接させるとともに、前記回路基板の下面側に実装される回路部品に接続して形成された導体パターンと前記リードピンとを該リードピンの上端部近傍の外周面部を取り囲み、かつ、前記導電パターン側ほど漸次径が大きくなるように施したはんだによって電気的および機械的に結合し、前記回路基板の上面側の赤外線検出素子に形成の電極と回路基板の下面側の前記導電パターンとを、前記リードピンの上端部の結合箇所に対して偏位した箇所の回路基板部分を貫通するスルーホールの側壁にも導いて設けられた導電部を介して電気的に接続したことを特徴としている。
【００１２】
この発明の赤外線検出器においては、リードピンをストレートな形状とし、その上端部を回路基板の下面に直接に当接させるとともに、前記回路基板の下面に形成された導体パターンと前記リードピンとを該リードピンの上端部近傍の外周面部を取り囲み、かつ、前記導電パターン側ほど漸次径が大きくなるように施したはんだによって電気的および機械的に結合するようにして回路基板を保持しているので、リードピンに特殊な突起部を形成したりする必要がなく、したがって、リードピンをより簡単な工程で製作できるとともに、回路基板の上下両面における実装有効面積が増え、回路構成部品の配置や、回路基板に形成される導体パターンの構成が制約されるといったこともなくなる。
【００１３】
【発明の実施の形態】
この発明の実施の形態を図面を参照しながら説明する。図１〜図４は、この発明の一つの実施の形態を示す。図１および図２において、１は金属製のケースで、下方が開口しており、上面には所定形状の開口２が開設され、この開口２を封止するように赤外線透過材料よりなる赤外透過窓３が設けられている。４はケース１の下部開口を閉止するステムで、５はそのベース、６はベース５の下部外周に形成されるフランジ、７はフランジ６の外周の一部を外方に突出された突部である。
【００１４】
８はケース１内に設けられる平面視が例えば正八角形の回路基板で、その上面には適宜の導電部を兼ねた支持部材９を介して焦電素子１０が設けられており、その下面側にはＦＥＴ１１や抵抗体１２などの回路部品が実装されるとともに導体パターン１３が形成されている。１４は回路基板８の上面側に設けられる焦電素子１０に形成された電極１５と回路基板８の下面側の導体パターン１３とを電気的に接続するための導電部で、図４に拡大して示すように、後述するリードピン１７上端部の結合箇所に対して偏位した箇所の回路基板８部分を貫通するスルーホール１６の側壁にも導かれている。
【００１５】
ここまでの構成は、従来の焦電型赤外線検出器と変わるところはない。この発明が従来の焦電型赤外線検出器と大きく異なる点は、回路基板８の保持構造にある。
【００１６】
すなわち、図１において、１７はステム４に設けられた貫通孔１８を経てケース１内部に挿入される例えば３本のリードピンで、いずれもストレートな形状を呈するように形成され、直角二等辺三角形を形成するように配置されている。そして、各リードピン１７は、それらの上端部１７ａが同じ高さ位置になるように、ステムベース５から同じ長さだけ突出するようにして設けられ、その状態で貫通孔１８を気密に埋めるようにして設けられるガラスなどの絶縁性材料１９によって固定されている。
【００１７】
そして、回路基板８は、上述のようにしてステム４に立設固定されたリードピン１７の上端部１７ａにその下面を当接させるようにして水平な状態で保持される。このように保持される回路基板８の下面８ａに形成された導体パターン１３とリードピン１７の上端部１７ａおよびその近傍とがリードピン１７の上端部１７ａ近傍の外周面部を取り囲み、かつ、前記導電パターン１３側ほど漸次径が大きくなるようにほぼ逆三角形状に施したはんだ２０によって電気的および機械的に結合されている。
【００１８】
上述した構成よりなる焦電型赤外線検出器においては、図５に示した従来の回路基板の保持構造のように、回路基板５５を保持するためのリードピン５４をその上端部近傍に突起部５７が形成された段付き構造とする一方、回路基板５５にリードピン５４を挿通させるための孔５８を設け、この孔５８にリードピン５４を貫挿させて回路基板５５の下面を突起部５７に当接保持させるのではなく、回路基板８を、その下面８ａをステムベース５の上面に突設されたリードピン１７の上端部１７ａに単に当接させるようにして保持する構造であるので、リードピン１７や回路基板８の構造がきわめて簡単となる。
【００１９】
すなわち、リードピン１７に特殊な突起部を形成したりする必要がなく、シンプルな形状のものでよいから、リードピン１７をより簡単な工程で製作できるとともに、リードピン１７を回路基板８側の孔に貫挿させる必要がなく、リードピン１７にある程度曲がりが生じていても、これを折損するといったことがなくなる。
【００２０】
そして、回路基板８においては、リードピン１７を挿通させるための孔を開設しなくてもよいとともに、リードピン１７によって保持された状態において上面にリードピン１７の突出や貫通孔５８（図５参照）の領域が存在しないので、上面を広く利用することができるとともに、下面に余分な突出部がなくなるため、小型化しても実装有効面積が増え、部品の配置や回路基板に形成される導体パターンの構成が制約されるといったこともなくなり、設計の自由度も増大する。
【００２１】
以上のことが相まって焦電型赤外線検出器の歩留りが向上し、生産性が大幅に向上するので、高品質の焦電型赤外線検出器を安価かつ大量に生産することができる。
【００２２】
図３および図４は、３本のリードピン１７を備えたステム４（以下、これをリードピン付きステム４Ａという）に対して所定の状態で回路基板８を保持させる工程の一例を示すものである。すなわち、上記構成の焦電型赤外線検出器Ｓを製造する場合、一つ一つ製造することもあるが、一般には複数個を一度に製造するのが合理的である。
【００２３】
図３において、２１は適宜厚さの金属製のステムトレーで、３つの貫通孔２２を直角二等辺三角形の頂点となる位置に設けてなるステム保持部２３が複数個（この例では９個）形成されている。このようにすることにより、９個のリードピン付きステム４Ａを所定の状態で保持することができる。
【００２４】
そして、２４は前記ステム保持部２３に保持されたリードピン付きステム４Ａに対応するように複数（この例では９つ）の回路基板８を形成した回路基板集合体で、前記ステムトレー２１の所定の位置にセットされたリードピン付きステム４Ａの上部からリードピン１７の上端部１７ａに当接するように、ステムトレー２１にセットされる。
【００２５】
この場合、各回路基板８の下面側の導体パターン１３と、各リードピン付きステム４Ａのリードピン１７の上端部１７ａとを対応させるために、ステムトレー２１と回路基板集合体２４に次のような部材を設けている。すなわち、ステムトレー２１の適宜の２箇所にガイドピン２５ａ，２５ｂを立設する一方、回路基板集合体２４には、ガイドピン２５ａ，２５ｂと対応する位置にガイドピン２５ａ，２５ｂにガイドされる貫通孔２６ａ，２６ｂを設けている。
【００２６】
このようにすることにより、ステムトレー２１に保持された９個のリードピン付きステム４Ａにおける各リードピン１７の上端部１７ａと、回路基板集合体２４に設けられた９個の回路基板８の下面側にそれぞれ形成された導体パターン１３とをそれぞれ位置ズレすることなく正しく対応した状態で、回路基板集合体２４をステムトレー２１にセットすることができる（図４参照）。
【００２７】
なお、上述の実施の形態においては、回路基板８を３本のリードピン１７で保持するようにしていたが、これに限られるものではなく、リードピン１７の本数が４以上であってもよいことはいうまでもない。
【００２８】
そして、この発明は、上記焦電型赤外線検出器Ｓのみならず、サーモパイル型赤外線検出器や、フォトダイオードあるいはフォトトランジスタなどにも同様に適用することができる。
【００２９】
【発明の効果】
この発明によれば、リードピンで保持される回路基板の上下両面における部品の実装の自由度が大幅に増大し、また、リードピンの数が増えても基板との結合が容易であり、生産性が向上するので、小型で性能の優れた光学素子を大量に安価に生産することができる。
【図面の簡単な説明】
【図１】  この発明の一例としての焦電型赤外線検出器を示す縦断面図である。
【図２】  前記焦電型赤外線検出器の分解斜視図である。
【図３】  前記焦電型赤外線検出器の製造工程の一部を説明するための分解斜視図である。
【図４】  前記製造工程を説明するための要部の縦断面図である。
【図５】  従来の焦電型赤外線検出器を示す縦断面図である。
【符号の説明】
１…ケース、４…ステム、４Ａ…リードピン付きステム、８…回路基板、８ａ…回路基板の下面、１３…導体パターン、１４…導電部、１５…電極、１６…スルーホール、１７…リードピン、１７ａ…リードピンの上端部、２０…はんだ。
【図１】
0004068691.tif 000002
【図２】
0004068691.tif 000003
【図３】
0004068691.tif 000004
【図４】
0004068691.tif 000005
【図５】
0004068691.tif 000006